(57)【要約】【課題】節水を図ることができ、かつ汚物による横引き配管内の閉塞を防止することができる給水装置を提供する。【解決手段】給水装置は、便鉢１２と、この便鉢１２に連通して下流端に排水口１４を形成する便器排水路１３とを有する水洗式大便器１０に水を供給する。便鉢１２及び便器排水路１３によって形成した水封部Ｈ内の排泄物を排水口１４から排出するのに必要な水量の水を水洗式大便器１０に供給する第１給水手段Ｗ１と、排水口１４の下流側に連通する横引き配管３０内に滞留する汚物Ｘ１の上流側に水が滞留するように、第１給水手段Ｗ１が供給する水の水量よりも少ない水量の水を横引き配管３０内に供給する第２給水手段Ｗ２とを備えている。【選択図】図１
2012136915.tif 000002
【特許請求の範囲】
【請求項１】
便鉢と、この便鉢に連通して下流端に排水口を形成する便器排水路とを有する水洗式大便器に水を供給する給水装置であって、
前記便鉢及び前記便器排水路によって形成した水封部内の排泄物を前記排水口から排出するのに必要な水量の水を前記水洗式大便器に供給する第１給水手段と、
前記排水口の下流側に連通する横引き配管内に滞留する汚物の上流側に水が滞留するように、前記第１給水手段が供給する水の水量よりも少ない水量の水を前記横引き配管内に供給する第２給水手段とを備えており、
前記第１給水手段を実行した後、設定時間の間は前記第２給水手段を実行しないことを特徴とする給水装置。
【請求項２】
前記第２給水手段は前記水洗式大便器に水を供給することを特徴とする請求項１記載の給水装置。
【請求項３】
前記第２給水手段の実行に続いて前記第１給水手段を実行することを特徴とする請求項１又は２記載の給水装置。
【発明の詳細な説明】
【技術分野】
【０００１】
本発明は給水装置に関する。
【背景技術】
【０００２】
特許文献１に従来の給水装置が開示されている。この給水装置は、水洗式大便器の使用回数、又は使用時間の間隔をカウントし、所定のカウント値に達すると水洗式便器に搬送用の水を供給する。搬送用の水の水量は、通常の便器洗浄に利用する水の水量より多い。搬送用の水を水洗式便器に供給することによって、水洗式大便器の下流側に連通する横引き配管内に滞留する汚物を下流側へ押し流すことができる。このため、汚物による横引き配管の閉塞を防止することができる。
【先行技術文献】
【特許文献】
【０００３】
【特許文献１】特開２００１−３０３６３９号公報
【発明の概要】
【発明が解決しようとする課題】
【０００４】
しかし、特許文献１の給水装置では、横引き配管内に滞留する汚物を搬送するために、通常の便器洗浄に利用する水の水量よりも多い水を利用する。このため、節水を充分に図ることができないおそれがある。
【０００５】
本発明は、上記従来の実情に鑑みてなされたものであって、節水を図ることができ、かつ汚物による横引き配管内の閉塞を防止することができる給水装置を提供することを解決すべき課題としている。
【課題を解決するための手段】
【０００６】
本発明の給水装置は、便鉢と、この便鉢に連通して下流端に排水口を形成する便器排水路とを有する水洗式大便器に水を供給する給水装置であって、
前記便鉢及び前記便器排水路によって形成した水封部内の排泄物を前記排水口から排出するのに必要な水量の水を前記水洗式大便器に供給する第１給水手段と、
前記排水口の下流側に連通する横引き配管内に滞留する汚物の上流側に水が滞留するように、前記第１給水手段が供給する水の水量よりも少ない水量の水を前記横引き配管内に供給する第２給水手段とを備えており、
前記第１給水手段を実行した後、設定時間の間は前記第２給水手段を実行しないことを特徴とする。
【０００７】
本発明の発明者は、下流側に向け下り勾配である横引き配管内において、滞留した汚物の上流側から水が流れてきた際、汚物の上流側に水が滞留していない場合に比べて汚物の上流側に水が滞留している場合の方が、汚物の搬送距離が長くなるという現象を発見した。
【０００８】
その現象を説明すると、横引き配管内に滞留した汚物の上流側に水があり、そこに上流側から水が合流すると、その水の勢いが汚物に衝突して汚物が下流側に押される一方、水は上流側に押し返される。押し返された水は、上流に向かう波となって逆流する。逆流した波は、上流に向かう勢いがなくなったり、さらに上流側から搬送された汚物に衝突したりすると、下流に向けて折返し、再度汚物に衝突する。これによって、汚物はさらに下流側に押される一方、水は上流側に押し返される。このような現象が繰り返され、汚物は横引き配管の下流側に押し流される。
【０００９】
本発明の給水装置では、横引き配管内に滞留する汚物の上流側に水が滞留するように第２給水手段を実行することができる。これにより、第２給水手段によって横引き配管内の汚物の上流側に水が滞留している状態を確実に実現することができる。このため、そこに上流側から水が合流すると汚物を良好に搬送することができる。
【００１０】
また、近年、節水化の要望が高まり、第１給水手段の実行の際に供給される水の水量は少なくなっている。この給水装置では、第２給水手段の実行によって横引き配管内の汚物の上流側に水が滞留している状態を確実に実現できるため、第１給水手段の実行によって供給される水が少ない水量であっても、汚物を良好に搬送することができる。
【００１１】
また、第１給水手段の実行とともに横引き配管内に搬送されて横引き配管内に滞留した汚物の上流側には、第１給水手段の実行によって供給された水の一部が滞留する。この水は時間の経過とともに汚物の下流側に流れ、減少する。つまり、設定時間の間は、汚物の上流側に水が滞留するため、その後に上流側から合流する水によって、汚物を下流側に良好に搬送することができる。また、設定時間を経過した際には第２給水手段を実行し、汚物の上流側に水が滞留している状態にして、その後に上流側から合流する水によって、汚物を下流側に良好に搬送することができる。
【００１２】
したがって、本発明の給水装置は、節水を図ることができ、かつ汚物による横引き配管内の閉塞を防止することができる。
【００１３】
前記第２給水手段は前記水洗式大便器に洗浄水を供給し得る。この場合、横引き配管内に水洗式大便器を介して水を供給することができる。このように、特別な給水路を必要とせずに横引き配管内に容易に水を供給することができる。
【００１４】
前記第２給水手段の実行に続いて前記第１給水手段を実行し得る。この場合、水洗式大便器の使用者に第２給水手段の実行を気づかれ難くすることができる。このため、水洗式大便器の使用者は水洗式大便器を違和感なく使用することができる。また、第２給水手段の実行によって、横引き配管内に滞留する汚物の上流側に水を滞留させることができるため、そこに第１給水手段の実行による水が上流側から合流し、汚物を確実に下流側に搬送することができる。
【図面の簡単な説明】
【００１５】
【図１】実施例の給水装置を備えた水洗式大便器の施工状態を示す図である。
【図２】実施例の給水装置を備えた水洗式大便器を示す断面図である。
【図３】実施例の給水装置の給水パターンを示すグラフである。
【図４】実施例の給水装置の制御内容を示すフローチャートである。
【図５】横引き配管内の汚物搬送状態を示す概略図である。
【発明を実施するための形態】
【００１６】
本発明の給水装置を具体化した実施例を図面を参照しつつ説明する。
【００１７】
＜実施例＞
実施例の給水装置は、図１及び図２に示すように、水洗式大便器１０に水を供給する。水洗式大便器１０は、便器本体１１と、便器本体の上面に配置した便座装置１６とを有している。便器本体１１は、便鉢１２と、この便鉢１２に連通して下流端に排水口１４を形成する便器排水路１３とを有している。便鉢１２は上端開口の周縁部にリム通水路１２Ａを形成している。便器排水路１３は、便鉢１２の下流端から上昇する上昇流路１３Ａと、上昇流路１３Ａの上昇端から下降する下降流路１３Ｂとから形成されている。水洗式大便器１０は、便鉢１２と上昇流路１３Ａとによって、水が貯留される水封部Ｈを形成している。便器排水路１３の排水口１４は下降流路１３Ｂの下端に形成されている。
【００１８】
便器排水路１３の排水口１４は連結部材１５の上端開口に連結されている。連結部材１５は下端開口を横引き配管３０の上流端に連結している。便器排水路１３の排水口１４の下流側に連通する横引き配管３０は、上流端から垂直下方に延びた縦管部３０Ａと、縦管部３０Ａの下端部を屈曲して、下流側に向け下り勾配に延びた横管部３０Ｂを有している。横引き配管３０は下流端が浴槽排水や台所排水などが合流する集合配管３１に連結している。
【００１９】
便座装置１６は、便器本体１１の上面後部に取り付けた便座ボックス１６Ａと、便座ボックス１６に回動自在の取り付けられた便蓋１６Ｂ及び図示しない便座とを有している。便座は、便器本体１１の上面に倒伏した状態では便蓋１６Ｂに上方と側方とを覆われている。
【００２０】
便座ボックス１６は、給水装置を構成する第１開閉弁Ｖ１、第２開閉弁Ｖ２、及び制御装置Ｃを収納している。制御装置Ｃは第１開閉弁Ｖ１及び第２開閉弁Ｖ２の開閉を制御する。第１開閉弁Ｖ１は給水源Ｓに連通した主給水路２０を２方向に分岐した一方の第１分岐給水路２１Ａに設けられている。第２開閉弁Ｖ２は主給水路２０を２方向に分岐した他方の第２分岐給水路２１Ｂに設けられている。第１分岐給水路２１Ａは下流端をリム給水管２２の上流端に連結している。リム給水管２２はリム通水路１２Ａに沿って水を吐水するリム吐水ノズル２２Ａを先端に有している。第２分岐給水路２１Ｂは下流端をジェット給水管２３の上流端に連結している。ジェット給水管２３は便器排水路１３の上昇流路１３Ａに沿って水を吐水するジェット吐水ノズル２３Ａを先端に有している。
【００２１】
給水装置は、制御装置Ｃが第１開閉弁Ｖ１を開弁すると、リムノズル２１Ａからリム通水路１２Ａに沿って水を吐水するリム洗浄を実行する。また、給水装置は、制御装置Ｃが第２開閉弁Ｖ２を開弁すると、ジェットノズル２２Ａから上昇流路１３Ａに沿って水を吐水するジェット洗浄を実行する。
【００２２】
給水装置は第１給水手段Ｗ１と第２給水手段Ｗ２とを備えている。第１給水手段Ｗ１は、図３（Ａ）に示すように、制御装置Ｃが、第１リム洗浄Ｒ１、ジェット洗浄Ｊ、第２リム洗浄Ｒ２の順に実行するように、第１開閉弁Ｖ１及び第２開閉弁Ｖ２を開閉する。この際の第１リム洗浄Ｒ１の水量Ｑ１は約０．９リットルであり、ジェット洗浄Ｊの水量Ｑ２は約１．２リットルであり、第２リム洗浄Ｒ２の水量Ｑ３は約１．９リットルである。
【００２３】
第２給水手段Ｗ２は、図３（Ｂ）に示すように、制御装置Ｃが、リム洗浄Ｒ３を実行するように、第１開閉弁Ｖ１を開閉する。この際のリム洗浄Ｒ３の水量Ｑ４は約１．０リットルである。このように、第２給水手段Ｗ２が供給する水の水量は第１給水手段Ｗ１が供給する水の水量よりも少なく設定されている。また、第２給水手段Ｗ２はリム洗浄Ｒ３を実行することによって、リム通水路１２Ａから便鉢１２、便器排水路１３及び連結部材１５を介して、横引き配管３０内に水を供給することができる。このように、特別な給水路を必要とせずに横引き配管３０内に容易に水を供給することができる。
【００２４】
また、給水装置は、図４に示すように、第１給水手段Ｗ１及び第２給水手段Ｗ２を実行する。給水装置の制御装置Ｃは、図示しない洗浄スイッチの操作による「洗浄指示」の有無を判断する（ステップＳ１）。制御装置Ｃは、洗浄スイッチが操作されて「洗浄指示」が有ったと判断すると、先の第１給水手段Ｗ１の実行から設定時間が経過したかを判断する（ステップＳ２）。
【００２５】
次に、制御装置Ｃは、先の第１給水手段Ｗ１の実行から設定時間が経過していると判断した場合、第１開閉弁Ｖ１を開閉して第２給水手段Ｗ２を実行する（ステップＳ３）。さらに、制御装置Ｃは、第２給水手段Ｗ２の実行に続いて、第１開閉弁Ｖ１及び第２開閉弁Ｖ２を開閉して第１給水手段Ｗ１を実行する（ステップＳ４）。つまり、給水装置は、図３（Ｂ）に示すように、第２給水手段Ｗ２の実行に続いて第１給水手段Ｗ１を実行する。このため、水洗式大便器１０の使用者に第２給水手段Ｗ２の実行を気づかれ難くすることができる。よって、水洗式大便器１０の使用者は違和感なく水洗式大便器１０を使用することができる。
【００２６】
この場合、図５（Ａ）に示すように、第２給水手段Ｗ２が実行される前において、横引き配管３０の横管部３０Ｂ内に滞留した汚物Ｘ１の上流側に水は殆ど滞留していない。第２給水手段Ｗ２の実行によって、水封部Ｈから水Ｙ１が溢れ出し、図５（Ｂ）に示すように、横管部３０Ｂ内の汚物Ｘ１の上流側に水Ｙ１が滞留する。その後、第１給水手段Ｗ１の実行によって、汚物Ｘ２と共に水が便器排水路１３の排水口１４から排出され、横引き配管３０内に流入する。汚物Ｘ２のよりも前方に流れる水Ｙ２が汚物Ｘ１の上流側に滞留した水Ｙ１に合流すると、図５（Ｃ）に示すように、水Ｙ２の勢いが汚物Ｘ１に衝突して汚物Ｘ１が下流側に押される一方、水Ｙ２は水Ｙ１を巻き込んで上流側に押し返される。押し返された水Ｙ１、Ｙ２は、上流に向かう波となって逆流する。逆流した波は、汚物Ｘ２に衝突して下流側に折返し、再度汚物Ｘ１に衝突する。これによって、汚物Ｘ１はさらに下流側に押される一方、水Ｙ１、Ｙ２は上流側に押し返される。このような現象が繰り返され、汚物Ｘ１は横管部３０Ｂの下流側に押し流される。このように、第２給水手段Ｗ２の実行によって、横管部３０Ｂ内の汚物Ｘ１の上流側に水Ｙ１を滞留するため、第１給水手段Ｗ１の実行によって供給される水Ｙ２が少ない水量であっても、汚物Ｘ１を良好に搬送することができる。
【００２７】
したがって、実施例の給水装置は、節水を図ることができ、かつ汚物による横引き配管３０内の閉塞を防止することができる。
【００２８】
また、制御装置Ｃは、先の第１給水手段Ｗ１の実行から設定時間が経過していないと判断した場合は、第１開閉弁Ｖ１及び第２開閉弁Ｖ２を開閉して第１給水手段Ｗ１を実行する（ステップＳ４）。つまり、給水装置は、図３（Ａ）に示すように、第１給水手段Ｗ１のみを実行する。
【００２９】
この場合でも、横引き配管３０の横管部３０Ｂ内に滞留した汚物Ｘ１の上流側には水Ｙ１が滞留しているため、第１給水手段Ｗ１の実行によって汚物Ｘ２とともに横引き配管３０内に流入した水が汚物Ｘ１の上流側に滞留した水Ｙ１に合流する。このため、上述した現象が生じ、第１給水手段Ｗ１の実行によって供給される水Ｙ２が少ない水量であっても、汚物Ｘ１を良好に搬送することができる。
【００３０】
このように、第１給水手段Ｗ１の実行とともに横引き配管３０内に搬送され、滞留する汚物の上流側には、第１給水手段Ｗ１の実行によって供給された水の一部が滞留する。この水は時間の経過とともに汚物の下流側に流れ、減少する。つまり、設定時間の間は、汚物の上流側に水が滞留するため、その後に上流側から合流する水によって、汚物を下流側に良好に搬送することができる。また、設定時間を経過した際には第２給水手段Ｗ２を実行し、汚物の上流側に水が滞留する状態にして、その後に上流側から合流する水によって、汚物を下流側に良好に搬送することができる。
【００３１】
本発明は上記記述及び図面によって説明した実施例に限定されるものではなく、例えば次のような実施例も本発明の技術的範囲に含まれる。
（１）実施例では、第２給水手段による横引き配管内への水の供給を水洗式大便器を介して行ったが、横引き配管内へ水を供給する給水路を形成して直接的に横引き配管内へ水を供給してもよい。
（２）実施例では、第２給水手段の実行に続いて第１給水手段を実行したが、第２給水手段と第１給水手段とは別々に実行してもよい。例えば、水洗式大便器に使用者が着座した直後に第２給水手段のみを実行してもよい。
（３）実施例では、給水装置が給水源から直接的に水洗式大便器へ水を供給するものであったが、タンクに貯留した水を水洗式大便器へ供給するものでもよい。
（４）実施例では、給水装置はリム洗浄とジェット洗浄を有していたが、リム洗浄のみのものであってもよい。
【産業上の利用可能性】
【００３２】
本発明は水洗式大便器に利用可能である。
【符号の説明】
【００３３】
１０…水洗式大便器
１２…便鉢
１３…便器排水路
１４…排水口
３０…横引き配管
Ｈ…水封部
Ｗ１…第１給水手段
Ｗ２…第２給水手段
Ｘ１、Ｘ２…汚物
【図１】
2012136915.tif 000003
【図２】
2012136915.tif 000004
【図３】
2012136915.tif 000005
【図４】
2012136915.tif 000006
【図５】
2012136915.tif 000007